(57)【要約】【課題】記録層を複数有し且つ記録特性に優れた光ディスクを提供すること。【解決手段】この発明の一例の光ディスクは、第１面（Ｓ１）及び第２面（Ｓ２）を有する光ディスクであって、前記第１面と前記第２面の間に設けられた層であって、前記第１面から入射する光ビームの照射を受けて変質する情報記録可能な第１の記録層（１２）と、前記第１面と前記第２面の間に設けられた層であって、前記第１面から入射する光ビームの照射を受けて変質する情報記録可能な第２の記録層（１５）とを備え、前記第１の記録層は、情報無記録状態の反射率より情報記録状態の反射率が低くなる第１の反射率特性を有し、前記第２の記録層は、情報無記録状態の反射率より情報記録状態の反射率が高くなる第２の反射率特性を有する。【選択図】      図１
2006040446.tif 000002
【特許請求の範囲】
【請求項１】
第１面及び第２面を有する光ディスクであって、
前記第１面と前記第２面の間に設けられた層であって、前記第１面から入射する光ビームの照射を受けて変質する情報記録可能な第１の記録層と、
前記第１面と前記第２面の間に設けられた層であって、前記第１面から入射する光ビームの照射を受けて変質する情報記録可能な第２の記録層と、
を備え、
前記第１の記録層は、情報無記録状態の反射率より情報記録状態の反射率が低くなる第１の反射率特性を有し、
前記第２の記録層は、情報無記録状態の反射率より情報記録状態の反射率が高くなる第２の反射率特性を有する、
ことを特徴とする光ディスク。
【請求項２】
前記第１の記録層は、前記第１面と前記第２の記録層との間に設けられたことを特徴とする請求項１に記載の光ディスク。
【請求項３】
前記第２の記録層は、前記第１面と前記第１の記録層との間に設けられたことを特徴とする請求項１に記載の光ディスク。
【請求項４】
前記第１の記録層は、前記第２の記録層より先に情報記録に使用され、
前記第２の記録層は、前記第１の記録層の記録領域を使い終わってから使用されることを特徴とする請求項１に記載の光ディスク。
【請求項５】
前記第１の記録層は、制御情報及び管理情報が記録された層であることを特徴とする請求項１に記載の光ディスク。
【請求項６】
前記第１の記録層は、前記第１の記録層が前記第１の反射率特性を有し、前記第２の記録層が前記第２の反射率特性を有することを示す極性情報が記録された層であることを特徴とする請求項１に記載の光ディスク。
【請求項７】
第１面及び第２面を有する光ディスクに記録された情報を再生する情報再生装置であって、
前記第１面と前記第２面の間に設けられた層であって、前記第１面から入射する光ビームにより情報記録が可能な第１の記録層と、前記第１面と前記第２面の間に設けられた層であって、前記第１面から入射する光ビームにより情報記録が可能な第２の記録層とを備え、前記第１の記録層は、情報無記録状態の反射率より情報記録状態の反射率が低くなる第１の反射率特性を有し、前記第２の記録層は、情報無記録状態の反射率より情報記録状態の反射率が高くなる第２の反射率特性を有する光ディスクに、光ビームを照射する照射手段と、
前記光ディスクからの反射光を検出する検出手段と、
前記検出手段により検出された反射光に基づき、光ディスクに記録された情報を再生する再生手段と、
を備えたことを特徴とする情報再生装置。
【請求項８】
前記再生手段は、情報無記録状態の反射率より情報記録状態の反射率が低くなる第１の反射率特性により情報記録されていることに基づき、前記第１の記録層に記録された情報を再生し、情報無記録状態の反射率より情報記録状態の反射率が高くなる第２の反射率特性により情報記録されていることに基づき、前記第２の記録層に記録された情報を再生することを特徴とする請求項７に記載の情報再生装置。
【請求項９】
前記再生手段は、前記第２の記録層に記録された情報であって、前記第１の記録層が前記第１の反射率特性を有し、前記第２の記録層が前記第２の反射率特性を有することを示す極性情報に基づき、前記第１の記録層に対して前記第１の反射率特性により記録された情報を再生し、前記第２の記録層に対して前記第２の反射率特性により記録された情報を再生することを特徴とする請求項７に記載の情報再生装置。
【請求項１０】
前記再生手段は、前記検出手段により検出される前記第１の記録層と前記第２の記録層の反射率の違いに基づき、前記第１の記録層に対して前記第１の反射率特性により記録された情報を再生し、前記第２の記録層に対して前記第２の反射率特性により記録された情報を再生することを特徴とする請求項７に記載の情報再生装置。
【発明の詳細な説明】
【技術分野】
【０００１】
本発明は、例えば追記型の光ディスクに関する。また、本発明は、このような追記型の光ディスクに記録された情報を再生する情報再生装置に関する。
【背景技術】
【０００２】
近年、種々の光ディスクが登場しており、各種光ディスクの研究開発も盛んになっている。例えば、特許文献１には、記録層を複数有する光ディスクが開示されている。この特許文献１には、各々の記録層の透過率を調整することにより、各層からの信号強度を等分してどの層においても安定した信号特性を得る技術が記載されている。
【特許文献１】特開２００３−０５１１３７号公報
【発明の開示】
【発明が解決しようとする課題】
【０００３】
しかしながら、記録層を複数有する光ディスクにおいて、各層からの信号強度が等しいようなディスク構造だと、情報記録時に他の層からの信号のもれこみがノイズ源となり良好な信号特性が得られないという問題があった。
【０００４】
本発明の目的は、記録層を複数有し且つ記録特性に優れた光ディスクを提供することにある。また、本発明の目的は、記録層を複数有し且つ記録特性に優れた光ディスクから適切に情報再生が可能な情報再生装置を提供することにある。
【課題を解決するための手段】
【０００５】
この発明の光ディスク及び情報再生装置は、以下のように構成されている。
【０００６】
（１）この発明の光ディスクは、第１面及び第２面を有する光ディスクであって、前記第１面と前記第２面の間に設けられた層であって、前記第１面から入射する光ビームにより情報記録が可能な第１の記録層と、前記第１面と前記第２面の間に設けられた層であって、前記第１面から入射する光ビームにより情報記録が可能な第２の記録層とを備え、前記第１の記録層は、情報無記録状態の反射率より情報記録状態の反射率が低くなる第１の反射率特性を有し、前記第２の記録層は、情報無記録状態の反射率より情報記録状態の反射率が高くなる第２の反射率特性を有する。
【０００７】
（２）この発明の情報再生装置は、第１面及び第２面を有する光ディスクに記録された情報を再生する情報再生装置であって、前記第１面と前記第２面の間に設けられた層であって、前記第１面から入射する光ビームにより情報記録が可能な第１の記録層と、前記第１面と前記第２面の間に設けられた層であって、前記第１面から入射する光ビームにより情報記録が可能な第２の記録層とを備え、前記第１の記録層は、情報無記録状態の反射率より情報記録状態の反射率が低くなる第１の反射率特性を有し、前記第２の記録層は、情報無記録状態の反射率より情報記録状態の反射率が高くなる第２の反射率特性を有する光ディスクに、光ビームを照射する照射手段と、前記光ディスクからの反射光を検出する検出手段と、前記検出手段により検出された反射光に基づき、光ディスクに記録された情報を再生する再生手段とを備えている。
【発明の効果】
【０００８】
本発明によれば、記録層を複数有し且つ記録特性に優れた光ディスクを提供できる。また、本発明によれば、記録層を複数有し且つ記録特性に優れた光ディスクから適切に情報再生が可能な情報再生装置を提供できる。
【発明を実施するための最良の形態】
【０００９】
以下、図面を参照しながら本実施例について説明する。
【００１０】
図１は、本発明の一例の片面２層追記型光ディスクの断面図であり、図２は、本発明の一例の片面２層追記型光ディスクの製造方法の流れを示す図である。
【００１１】
図１に示すように、片面２層追記型の光ディスクは、第１面Ｓ１及び第２面Ｓ２を有する。さらに、この２層追記型の光ディスクは、光ビームの入射面（第１面Ｓ１）側に位置する成形基板１１と、光ビームの入射面と反対面（第２面Ｓ２）側に位置する成形基板１７とを備えている。さらに、この２層追記型の光ディスクは、第１面Ｓ１及び第２面Ｓ２の間に設けられた層であって第１面Ｓ１から入射する光ビームの照射を受けて変質する情報記録可能な記録層１２と、この記録層１２と成形基板１７の間に設けられた反射層１３と、この反射層１３と成形基板１７の間に設けられた接着層１４と、この接着層１４と成形基板１７の間に設けられた層であって第１面Ｓ１から入射する光ビームの照射を受けて変質する記録層１５と、この記録層１５と成形基板１７の間に設けられた反射層１６とを備えている。
【００１２】
光入射側の成形基板１１には、トラッキングするための溝（グルーブ）が形成されている。この溝が、所謂、グルーブトラックを形成している。結果的に、ディスクの半径方向に対して、グルーブトラックとランドトラックとが交互に複数形成されることになる。成形基板１１の溝には記録層１２が設けられている。この記録層１２は、光を当てると変質する有機色素の層であり、この変質により周囲の溝が変形しマークを形成して情報を記録する。記録層１２の材料には、ジアゾ系、シアニン系、スチリル系、フタロシアニン系の有機色素材料もしくはその混合物が用いられる。記録層１２の上には、例えばＡｌやＡｇを用いた反射層１３がスパッタリングなどにより形成される。以上により、成形基板１１、記録層１２、反射層１３により第１層Ｌ０が構成される。
【００１３】
同様に、光入射側と反対側の成形基板１７にも、トラッキングするための溝（グルーブ）が形成されている。この溝が、所謂、グルーブトラックを形成している。結果的に、ディスクの半径方向に対して、グルーブトラックとランドトラックとが交互に複数形成されることになる。そして成形基板１７の溝には、反射層１６を介して記録層１５が設けられている。この記録層１５は、光を当てると変質する有機色素の層であり、この変質により周囲の溝が変形しマークを形成して情報を記録する。以上により、成形基板１７、反射層１６、記録層１５により第２層Ｌ１が構成される。つまり、第２層Ｌ１の層の構成順序と、第１層Ｌ０の層の構成順序は異なる順序となっている。
【００１４】
上記した第１層Ｌ０と第２層Ｌ１とが接着層１４を介して貼り合わされて、１枚の光ディスクが構成される。
【００１５】
本実施形態のディスクは、例えば、直径１２０ｍｍ、厚さ１．２ｍｍ（０．６ｍｍのポリカーボネート成形基板で構成される二層の貼り合せ）であり、かつ追記型の光ディスクであるとする。勿論、本発明のディスクは、これら数値に限定されるものではない。また、この第１の実施形態のディスクに対して照射される記録再生光としては例えば波長４００ｎｍの記録再生光を用い、この記録再生光を処理する光学系の対物レンズには例えばＮＡ０．６５のレンズを用いる。また、この第１の実施形態のディスクにおける、グルーブ間のトラックピッチを４００ｎｍとする。しかし、本発明のディスクは、これら数値に限定されるものではない。
【００１６】
続いて、図２を参照して、上記した２層追記型光ディスクの作製方法について説明する。原盤としては表面を研磨洗浄したガラスを用いる（ＳＴ１）。その原盤の表面にフォトレジストを塗布し（ＳＴ２）、フォトレジストの表面をレーザ光などで露光することにより情報を記録する（ＳＴ３）。次に露光した原盤を現像し、ピットやグルーブ溝の凹凸を形成する（ＳＴ４）。その後、その原盤をメッキ処理することでスタンパ（材料は一般にニッケル）を作成する（ＳＴ５）。そのスタンパを型として射出成形により樹脂（材料は一般にポリカーボネート）の成形基板１を作成する（ＳＴ６）。こうして作られた成形基板１上に記録層１２として有機色素をスピンコートにより塗布する（ＳＴ７）。そしてその有機色素の記録層１２上に反射層１３を形成する。以上により、第１層Ｌ０が形成される。同様にして、成形基板１７を作成し（ＳＴ６）、この成形基板１７上に反射層１６を形成し、この反射層１６上に記録層１５として有機色素をスピンコートにより塗布する（ＳＴ７）。以上により、第２層Ｌ１が形成される。これら第１層Ｌ０と第２層Ｌ１を接着層４を介して貼り合せる。これにより、２層追記型光ディスクが完成する（ＳＴ８）。
【００１７】
有機色素による追記型光ディスクの記録原理を以下に説明する。例えば、波長４００ｎｍの記録レーザ光を成形基板の溝に埋った有機色素に照射する。すると化学反応をおこした有機色素の屈折率が変化すると共に、有機色素の反応熱により隣接する周囲の成形基板を変形させて記録マークを作る。これが通常の追記型光ディスクの記録原理である。このとき、有機色素の屈折率と膜厚及び溝の深さによっては、記録前後で反射率が高反射率から低反射率になる(H-L: High to Low)記録層と、逆に低反射率から高反射率になる(L-H: Low to High)記録層とを作り分けることが可能である。つまり、Ｈ−Ｌ記録層（第１の記録層）は、情報無記録状態の反射率より情報記録状態の反射率が低くなる第１の反射率特性を有する。逆に、Ｌ−Ｈ記録層（第２の記録層）は、情報無記録状態の反射率より情報記録状態の反射率が高くなる第２の反射率特性を有する。
【００１８】
Low to Highメディアの記録層を構成する色素には、例えば特開２００２−７４７４０，特開２００２−２０６０６１に挙げられたものなどがある。
【００１９】
また、記録層を有機色素でなく無機材料で作製しても良い。この場合、無機材料を記録レーザー光の熱により非結晶から結晶へ、またその逆へと相変化させることで記録を行う。無機材料の場合についても、記録前後で反射率が高反射率から低反射率になる(H-L: High to Low)記録層と、逆に低反射率から高反射率になる(L-H: Low to High)記録層とを作り分けることが可能である。
【００２０】
片面２層記録型光ディスクの場合、一方の記録層に情報を記録する場合に他方の記録層からの信号（ノイズ）が問題となる。所謂、層間クロストークの問題が生じる。これは他方の記録層にまだ何も記録していない（記録マークが無い）状態でも同様で、そのときはディスク基板上にあらかじめ設けられている溝からの干渉光がノイズ源となる。
【００２１】
そこで本発明の第１の実施形態に係る片面２層追記型光ディスクでは、Ｌ０層をＨ−Ｌ記録層（第１の記録層）で構成し、Ｌ１層をＬ−Ｈ記録層（第２の記録層）で構成する。つまり、Ｈ−Ｌ記録層（第１の記録層）が、第１面Ｓ１とＬ−Ｈ記録層（第２の記録層）との間に設けられる。さらに、Ｈ−Ｌ記録層（第１の記録層）はＬ−Ｈ記録層（第２の記録層）より先に情報記録に使用され、Ｌ−Ｈ記録層（第２の記録層）はＨ−Ｌ記録層（第１の記録層）の記録領域を使い終わってから使用される。
【００２２】
このようにすれば、まずＬ０層に記録する時には、初期反射率が高くサーボが安定する。さらには何も書いていないＬ１層の反射率は低いためＬ１層からの層間クロストークは無視できるほど小さい。よって良好な記録特性が得られる。また、Ｌ１層に書き込む際には既にＬ０層には全面に情報が書き込まれていることになり、極性による不利益は無い。よってこのようなディスク構造にすることで、特に最初の層への記録特性が向上する。
【００２３】
さらに、ディスク製造時に記録されるプリピットは、読み取り精度を考慮して反射率の高いＨ−Ｌ記録層（第１の記録層）上に形成される。プリピットは、制御情報及び管理情報であり、例えば、ディスクに関する情報、ディスクの製造者に関する情報、及びコピープロテクトに関する情報、極性情報を示す。さらには、プリピットは、ディスクのチルト検出等の目的のために形成される。極性情報とは、Ｈ−Ｌ記録層（第１の記録層）が第１の反射率特性を有し、且つ前記第２の記録層が前記第２の反射率特性を有することを示す情報である。
【００２４】
或いは、本発明の第２の実施形態に係る片面２層追記型光ディスクでは、Ｌ０層をＬ−Ｈ記録層（第２の記録層）で構成し、Ｌ１層をＨ−Ｌ記録層（第１の記録層）で構成する。つまり、Ｌ−Ｈ記録層（第２の記録層）が、第１面Ｓ１とＨ−Ｌ記録層（第１の記録層）との間に設けられる。さらに、Ｈ−Ｌ記録層（第１の記録層）はＬ−Ｈ記録層（第２の記録層）より先に情報記録に使用され、Ｌ−Ｈ記録層（第２の記録層）はＨ−Ｌ記録層（第１の記録層）の記録領域を使い終わってから使用される。
【００２５】
このようにすれば、まずＬ１層に記録する時には、初期反射率が高くサーボが安定する。さらには何も書いていないＬ０層の反射率は低いためＬ０層からの層間クロストークは無視できるほど小さい。よって良好な記録特性が得られる。また、Ｌ０層に書き込む際には既にＬ１層には全面に情報が書き込まれていることになり、極性による不利益は無い。よってこのようなディスク構造にすることで、特に最初の層への記録特性が向上する。
【００２６】
さらに、ディスク製造時に記録されるプリピットは、読み取り精度を考慮して反射率の高いＨ−Ｌ記録層（第１の記録層）上に形成される。プリピットは、制御情報及び管理情報であり、例えば、ディスクに関する情報、ディスクの製造者に関する情報、及びコピープロテクトに関する情報、極性情報を示す。さらには、プリピットは、ディスクのチルト検出等の目的のために形成される。極性情報とは、Ｈ−Ｌ記録層（第１の記録層）が第１の反射率特性を有し、且つ前記第２の記録層が前記第２の反射率特性を有することを示す情報である。
【００２７】
以上説明したように、本発明の片面２層追記型光ディスクは、一方の記録層（最初に情報を記録する記録層）の極性をＨ−Ｌ、他方の記録層の極性をＬ−Ｈとする。これにより、最初に情報を記録する記録層では初期反射率が高くサーボが安定する。加えて、他方の記録層（記録前状態）の反射率が低いため層間クロストークの影響も小さい。他方の記録層に情報を記録する際には、既に一方の記録層の記録領域の全面に情報が記録されており、他方の記録層における極性による不利益は無い。よってこのようなディスク構造にすることで、特に最初の層への記録特性が向上する。
【００２８】
次に、図３を参照して、上記した片面２層追記型光ディスクに対してレーザ光を照射し、この光ディスクに対して情報を記録したり、この光ディスクに記録された情報を再生したりする情報記録再生装置について説明する。図３は、この発明の一例に係る光ディスク装置（情報記録再生装置）の概略構成を示すブロック図である。
【００２９】
図３に示すように、光ディスク装置は、光ピックアップ１１０、変調回路１２１、記録再生制御部１２２、レーザ制御回路１２３、信号処理回路１２４、復調回路１２５、アクチュエータ１２６、フォーカストラッキング制御部１３０を備えている。
【００３０】
また、光ピックアップ１１０は、レーザ１１１、コリメートレンズ１１２、偏光ビームスプリッタ（以下ＰＢＳ）１１３、４分の１波長板１１４、対物レンズ１１５、集光レンズ１１６、光検出器１１７を備えている。
【００３１】
また、フォーカストラッキング制御部１３０は、フォーカスエラー信号生成回路１３１、フォーカス制御回路１３２、トラッキングエラー信号生成回路１３３、トラッキング制御回路１３４を備えている。
【００３２】
まず、この光ディスク装置による光ディスクＤに対する情報の記録について説明する。変調回路１２１は、所定の変調方式に従ってホストから提供される記録情報（データシンボル）をチャネルビット系列に変調する。記録情報に対応したチャネルビット系列は、記録再生制御部１２２に入力される。さらに、この記録再生制御部１２２には、ホストからの記録再生指示（この場合、記録指示）が入力される。記録再生制御部１２２は、アクチュエータ１２６に制御信号を出力し、目的の記録位置に光ビームが適切に集光されるように光ピックアップを駆動させる。さらに、記録再生制御部１２２は、チャネルビット系列をレーザ制御回路１２３に供給する。レーザ制御回路１２３は、チャネルビット系列をレーザ駆動波形に変換し、レーザ１１１を駆動させる。つまり、レーザ制御回路１２３は、レーザ１１１をパルス駆動させる。これに伴い、レーザ１１１は、所望のビット系列に対応した記録用の光ビームを照射する。
【００３３】
レーザ１１１から照射された記録用の光ビームは、コリメートレンズ１１２で平行光となり、ＰＢＳ１１３に入射し、透過する。ＰＢＳ１１３を透過したビームは、４分の１波長板１１４を透過し、対物レンズ１１５により光ディスクＤの情報記録面に集光される。集光された記録用の光ビームは、フォーカス制御回路１３２並びにアクチュエータ１２６によるフォーカス制御、及びにトラッキング制御回路１３４並びにアクチュエータ１２６によるトラッキング制御により、記録面上（記録層１２又は１５）に最良の微小スポットが得られる状態で維持される。
【００３４】
続いて、この光ディスク装置による光ディスクＤからのデータの再生について説明する。記録再生制御部１２２には、ホストからの記録再生指示（この場合、再生指示）が入力される。記録再生制御部１２２は、ホストからの再生指示に従い、レーザ制御回路１２３に再生制御信号を出力する。レーザ制御回路１２３は、再生制御信号に基づきレーザ１１１を駆動させる。これに伴いレーザ１１１は、再生用の光ビームを照射する。
【００３５】
レーザ１１１から照射された再生用の光ビームは、コリメートレンズ１１２で平行光となり、ＰＢＳ１１３に入射し、透過する。ＰＢＳ１１３を透過した光ビームは４分の１波長板１１４を透過し、対物レンズ１１５により光ディスクＤの情報記録面（例えばグルーブトラック）に集光される。集光された再生用の光ビームは、フォーカス制御回路１３２並びにアクチュエータ１２６によるフォーカス制御、及びトラッキング制御回路１３４並びにアクチュエータ１２６によるトラッキング制御により、記録面上に最良の微小スポットが得られる状態で維持される。このとき、光ディスクＤ上に照射された再生用の光ビームは、反射層により反射される。反射光は対物レンズ１１５を逆方向に透過し、再度平行光となる。反射光は４分の１波長板１１４を透過し、入射光に対して垂直な偏光を持ち、ＰＢＳ１１３では反射される。ＰＢＳ１１３で反射されたビームは集光レンズ１１６により収束光となり、光検出器１１７に入射される。光検出器１１７は、例えば、４分割のフォトディテクタから構成されている。光検出器１１７に入射した光束は光電変換されて電気信号となり増幅される。増幅された信号は信号処理回路１２４にて等化され２値化され、復調回路１２５に送られる。復調回路１２５では所定変調方式に対応した復調動作が施されて、再生データが出力される。
【００３６】
また、光検出器１１７から出力される電気信号の一部に基づき、フォーカスエラー信号生成回路１３１によりフォーカスエラー信号が生成される。同様に、光検出器１１７から出力される電気信号の一部に基づき、トラッキングエラー信号生成回路１３３によりトラッキングエラー信号が生成される。フォーカス制御回路１３２は、フォーカスエラー信号に基づきアクチュエータ１２８を制御し、ビームスポットのフォーカスを制御する。トラッキング制御回路１３４は、トラッキングエラー信号に基づきアクチュエータ１２８を制御し、ビームスポットのトラッキングを制御する。
【００３７】
ここで、記録再生動作の詳細について説明する。光ディスク装置の復調回路１２５は、光ディスク（Ｈ−Ｌ記録層）から極性情報を読み取る。記録再生制御部１２２は、極性情報に基づき光ディスクにおける各記録層の極性を認識する。例えば、Ｌ０層がＨ−Ｌ記録層（第１の記録層）で構成され、Ｌ１層がＬ−Ｈ記録層（第２の記録層）で構成されていることを認識する。これにより、記録再生制御部１２２は、記録動作を制御し、Ｌ１層より先にＬ０層に対して情報を記録し、Ｌ０層の記録領域を使い終わってから、Ｌ１層に対する情報記録を開始する。また、復調回路１２５は、情報無記録状態の反射率より情報記録状態の反射率が低くなる第１の反射率特性により情報記録されていることに基づき、Ｌ０層に記録された情報を再生する。同様に、復調回路１２５は、情報無記録状態の反射率より情報記録状態の反射率が高くなる第２の反射率特性により情報記録されていることに基づき、Ｌ１層に記録された情報を再生する。
【００３８】
或いは、上記とは逆に、例えば、Ｌ１層がＨ−Ｌ記録層（第１の記録層）で構成され、Ｌ０層がＬ−Ｈ記録層（第２の記録層）で構成されていることを認識する。これにより、記録再生制御部１２２は、記録動作を制御し、Ｌ０層より先にＬ１層に対して情報を記録し、Ｌ１層の記録領域を使い終わってから、Ｌ０層に対する情報記録を開始する。また、復調回路１２５は、情報無記録状態の反射率より情報記録状態の反射率が低くなる第１の反射率特性により情報記録されていることに基づき、Ｌ１層に記録された情報を再生する。同様に、復調回路１２５は、情報無記録状態の反射率より情報記録状態の反射率が高くなる第２の反射率特性により情報記録されていることに基づき、Ｌ０層に記録された情報を再生する。
【００３９】
なお、極性情報が読み取れない場合や極性情報が記録されていない場合には、信号処理回路１２４が、各記録層の反射率の違いを検出し、Ｈ−Ｌ記録層（第１の記録層）とＬ−Ｈ記録層（第２の記録層）とを識別する。例えば、Ｌ０層がＨ−Ｌ記録層（第１の記録層）で構成され、Ｌ１層がＬ−Ｈ記録層（第２の記録層）で構成されていることを認識する。これにより、記録再生制御部１２２は、上記したように、記録動作を制御し、Ｌ１層より先にＬ０層に対して情報を記録し、Ｌ０層の記録領域を使い終わってから、Ｌ１層に対する情報記録を開始する。また、復調回路１２５は、上記したように、Ｌ０層に記録された情報及びＬ１層に記録された情報を再生する。或いは、上記とは逆に、例えば、Ｌ１層がＨ−Ｌ記録層（第１の記録層）で構成され、Ｌ０層がＬ−Ｈ記録層（第２の記録層）で構成されていることを認識する。これにより、記録再生制御部１２２は、上記したように、記録動作を制御し、Ｌ０層より先にＬ１層に対して情報を記録し、Ｌ１層の記録領域を使い終わってから、Ｌ０層に対する情報記録を開始する。また、復調回路１２５は、上記したように、Ｌ０層に記録された情報及びＬ１層に記録された情報を再生する。
【００４０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４１】
【図１】本発明の一例の片面２層追記型光ディスクの断面図である。
【図２】本発明の一例の片面２層追記型光ディスクの製造方法の流れを示す図である。
【図３】この発明の一例に係る光ディスク装置（情報記録再生装置）の概略構成を示すブロック図である。
【符号の説明】
【００４２】
１１…成形基板、１２…記録層、１３…反射層、１４…接着層、１５…記録層、１６…反射層、１７…成形基板、１１０…光ピックアップ、１１１…レーザ、１１２…コリメートレンズ、１１３…偏光ビームスプリッタ（ＰＢＳ）、１１４…４分の１波長板、１１５…対物レンズ、１１６…集光レンズ、１１７…光検出器、１２１…変調回路、１２２…記録再生制御部、１２３…レーザ制御回路、１２４…信号処理回路、１２５…復調回路、１２６…アクチュエータ、１３０…フォーカストラッキング制御部、１３１…フォーカスエラー信号生成回路、１３２…フォーカス制御回路、１３３…トラッキングエラー信号生成回路、１３３…トラッキング制御回路
【図１】
2006040446.tif 000003
【図２】
2006040446.tif 000004
【図３】
2006040446.tif 000005